(57)【要約】【課題】複数の補機８，９が付設される車両駆動装置において、補機８，９の作動に伴う剛体共振を抑制可能とすること。【解決手段】複数の補機８，９は、車両駆動装置に取り付けられる筒状支持部材１０の外周に取り付けられかつ当該筒状支持部材１０の中心軸線１１０に対して直交する方向に沿う平面１００上に振り分けて配置されている。これにより、複数の補機８，９の作動時に、いずれかの補機８（または９）に対して筒状支持部材１０を介した残りの補機９（または８）がダイナミックダンパとして機能するようになる。【選択図】図３
2013166456.tif 000002
【特許請求の範囲】
【請求項１】
複数の補機が付設される車両駆動装置であって、
前記複数の補機は、前記装置に取り付けられる筒状支持部材の外周に取り付けられかつ当該筒状支持部材の中心軸線に対して直交する方向に沿う平面上に振り分けて配置されている、ことを特徴とする車両駆動装置。
【請求項２】
請求項１に記載の車両駆動装置は、
走行用モータと、この走行用モータで発生する回転動力を変速する変速機とを連結したユニットとされ、この変速機の軸方向一側には前記走行用モータの駆動用電気エネルギーを発生するための燃料電池に空気を供給するエアコンプレッサが取り付けられ、
前記筒状支持部材は、前記変速機の軸方向一側に前記エアコンプレッサを囲むように取り付けられる、ことを特徴とする車両用駆動装置。
【請求項３】
請求項１または２に記載の車両駆動装置において、
前記補機は、前記筒状支持部材の中心を挟んで対向する領域に１つずつ配置され、
この第１補機の質量Ｍ１と第２補機の質量Ｍ２とが同等に設定され、
前記筒状支持部材の剛性に基づくばね定数Ｋは、当該筒状支持部材に対する前記各補機の結合部分の剛性に基づくばね定数Ｋ１，Ｋ２と、前記筒状支持部材の断面潰れ剛性に基づくばね定数Ｋ３とを含み、かつ前記ばね定数Ｋ３が前記ばね定数Ｋ１，Ｋ２に比べて極小に設定される、ことを特徴とする車両駆動装置。
【発明の詳細な説明】
【技術分野】
【０００１】
本発明は、複数の補機が付設される車両駆動装置に関する。
【背景技術】
【０００２】
一般に、走行用動力源として内燃機関であるエンジンを搭載した自動車などの車両が知られている。このようなエンジンは、変速機と連結されて、例えば車両前部のエンジンコンパートメント（エンジンルームとも呼ばれる）内に設置される。
【０００３】
近年、走行用動力源としてモータを用い、モータへの電力供給源として燃料電池を搭載した燃料電池自動車が注目されている。
【０００４】
前記燃料電池は、燃料電池セルを多数積層した構成で、燃料電池スタックと呼ばれている。この燃料電池は、水素等の燃料ガスと空気中の酸素とを電気化学反応させることによって走行用モータを駆動する電気エネルギを発生する発電装置である。この燃料電池に供給する空気としては、大気中の空気をエアコンプレッサで取り込んで圧縮したものとされる。
【０００５】
このような燃料電池は、地球温暖化の一因とされる二酸化炭素を排出しないことから、地球環境にやさしい車両用電源装置として期待されている。
【０００６】
ところで、前記燃料電池自動車としては、例えば特許文献１に示されている。走行用モータで発生する回転動力は、変速機およびデファレンシャルなどを介して駆動輪に伝達される。そして、前記走行用モータおよび前記変速機は、車両駆動装置（例えばトランスアクスルと呼ばれる）としてユニット化されて、エンジンコンパートメント内の車体フレームに、振動を吸収するマウント部材を介して搭載される。
【先行技術文献】
【特許文献】
【０００７】
【特許文献１】特開２００５−１３０５４５号公報
【発明の概要】
【発明が解決しようとする課題】
【０００８】
上記特許文献１に示されているような車両において、本願発明者は、燃料電池やエアコンプレッサの圧縮空気などを冷却するための冷却系（ラジエータや冷却液循環路などを含む）の冷却液循環用のウォータポンプや、エアコンディショナのコンプレッサ（単にＡ／Ｃコンプレッサと言う）などといった補機を、支持部材を介して前記車両駆動装置の外周に付設することを考えている。
【０００９】
ちなみに、エンジンを搭載している車両の場合、一般に、エンジン冷却用のウォータポンプやＡ／Ｃコンプレッサなどの補機は剛性の高いエンジンに付設されている。
【００１０】
ところで、本願発明者は、前記支持部材の剛性がエンジンなどに比べて低いために、前記複数の補機の設置場所によっては当該各補機の作動に伴い当該各補機および支持部材が剛体的に振れ回る振動（剛体共振）が発生することを懸念している。現在のところ、前記剛体共振を抑制することを狙いとして車両駆動装置に対する前記複数の補機の設置場所を特定するような従来技術は見当たらない。
【００１１】
このような事情に鑑み、本発明は、複数の補機が付設される車両駆動装置において、前記補機の作動に伴う剛体共振を抑制可能とすることを目的としている。
【課題を解決するための手段】
【００１２】
本発明は、複数の補機が付設される車両駆動装置であって、前記複数の補機は、前記装置に取り付けられる筒状支持部材の外周に取り付けられかつ当該筒状支持部材の中心軸線に対して直交する方向に沿う平面上に振り分けて配置されている、ことを特徴としている。
【００１３】
この構成のように複数の補機の配置位置を特定すれば、前記複数の補機の作動時に、いずれかの補機に対して前記筒状支持部材を介した残りの補機がダイナミックダンパとして機能するようになる。前記複数の補機をダイナミックダンパとするにあたっては、前記各補機の質量と前記筒状支持部材の剛性に基づくばね定数とを特定することが好ましい。
【００１４】
これにより、前記各補機の作動に伴い各補機および筒状支持部材が剛体的に振れ回る振動（剛体共振）が前記ダイナミックダンパでもって抑制されることになる。そのため、本発明に係る車両駆動装置の振動を低減することが可能になり、ひいては本発明に係る車両駆動装置を搭載する車両の静粛性を向上することが可能になる。
【００１５】
なお、車両駆動装置の作動に伴い前記複数の補機および前記筒状支持部材が共振するような場合には、前記複数の補機が質量体となり、前記筒状支持部材が弾性体となるダイナミックダンパとして機能するようになるので、前記共振を低減することが可能になる。
【００１６】
好ましくは、前記車両駆動装置は、走行用モータと、この走行用モータで発生する回転動力を変速する変速機とを連結したユニットとされ、この変速機の軸方向一側には前記走行用モータの駆動用電気エネルギーを発生するための燃料電池に空気を供給するエアコンプレッサが取り付けられ、前記筒状支持部材は、前記変速機の軸方向一側に前記エアコンプレッサを囲むように取り付けられる。ここでは、車両駆動装置の構成および前記筒状支持部材の設置形態を特定している。
【００１７】
好ましくは、前記補機は、前記筒状支持部材の中心を挟んで対向する領域に１つずつ配置され、この第１補機の質量Ｍ１と第２補機の質量Ｍ２とが同等に設定され、前記筒状支持部材の剛性に基づくばね定数Ｋは、当該筒状支持部材に対する前記各補機の結合部分の剛性に基づくばね定数Ｋ１，Ｋ２と、前記筒状支持部材の断面潰れ剛性に基づくばね定数Ｋ３とを含み、かつ前記ばね定数Ｋ３が前記ばね定数Ｋ１，Ｋ２に比べて極小に設定される。ここでは、補機の数および当該補機の設置形態を特定している。
【発明の効果】
【００１８】
本発明は、複数の補機が付設される車両駆動装置において、前記補機の作動に伴う剛体共振を抑制することが可能になる。これにより、本発明に係る車両駆動装置の振動を低減することが可能になり、ひいては本発明に係る車両駆動装置を搭載する車両の静粛性を向上することが可能になる。
【図面の簡単な説明】
【００１９】
【図１】本発明に係る車両駆動装置の一実施形態で、その全体の平面外観を模式的に示す図である。
【図２】図１において白抜き矢印の方向から見た図である。
【図３】図１の車両駆動装置における振動系モデルを示す図である。
【図４】図１の車両駆動装置におけるイナータンスと周波数との関係を示す図である。
【図５】本発明の比較例に係る車両駆動装置で、その全体の平面外観を模式的に示す図である。
【図６】図５において白抜き矢印の方向から見た図である。
【図７】図５の比較例における振動系モデルを示す図である。
【発明を実施するための形態】
【００２０】
以下、本発明を実施するための最良の実施形態について添付図面を参照して詳細に説明する。
【００２１】
図１から図４に、本発明の一実施形態を示している。図中、１は車両であり、この車両１のエンジンコンパートメント２には、車両駆動装置としてのトランスアクスル３、エアコンプレッサ４、図示していない燃料電池システムなどが搭載されている。
【００２２】
トランスアクスル３は、走行用モータ５、変速機６、デファレンシャル７などを備える構成である。走行用モータ５で発生する回転動力は変速機６で減速されてデファレンシャル７を介して図示していない駆動軸および駆動輪に伝達される。
【００２３】
前記燃料電池システムは、走行用モータ５に対する電力供給源であり、図示していないが、燃料電池、パワーコントロールユニット、燃料電池に供給する水素を貯留する高圧水素タンクなどを備えている。
【００２４】
前記燃料電池は、燃料電池セルを多数積層した構成で、燃料電池スタックと呼ばれている。この燃料電池は、水素等の燃料ガスと空気中の酸素とを電気化学反応させることによって走行用モータ５を駆動するための電気エネルギを発生する発電装置である。前記パワーコントロールユニットは、燃料電池の出力を制御するもので、燃料電池の発電電力を交流電力に変換するインバータ、２次電池の充放電を行うＤＣ／ＤＣコンバータなどを備えている。
【００２５】
エアコンプレッサ４は、図示していないが、圧縮部および当該圧縮部の駆動用のモータなどを備える公知の構成である。このエアコンプレッサ４は、前記モータで圧縮部を作動させることにより、大気中の空気を取り込んで圧縮して前記図示していない燃料電池に供給する。
【００２６】
この実施形態では、トランスアクスル３にエアコンプレッサ４を一体に結合してユニット化することにより、外形をコンパクトにして取り扱い易い構造にしている。
【００２７】
このトランスアクスル３とエアコンプレッサ４とを結合したユニットは、図示していないが、エンジンコンパートメント２内の車体フレーム（図示省略）に、振動を吸収するマウント部材（図示省略）を介して搭載される。これは前記ユニットから発生する振動を車体フレームへ伝達させないようにするためである。
【００２８】
ところで、車両１には、図示していないが、前記燃料電池（図示省略）やエアコンプレッサ４の圧縮空気などを冷却するための冷却系（ラジエータや冷却液循環路などを含む）や、車両１の室内空調のためのエアコンディショナなどが搭載される。
【００２９】
前記冷却系の冷却液循環用のウォータポンプ８および前記エアコンディショナのコンプレッサ（以下では単にＡ／Ｃコンプレッサと言う）９などの補機を、トランスアクスル３とエアコンプレッサ４とを結合したユニットの外周に付設するようにしている。
【００３０】
これらの補機（ウォータポンプ８、Ａ／Ｃコンプレッサ９）の設置形態については、当該補機８，９の作動に伴い発生する振動を抑制するために、当該設置する補機（８，９）そのものを利用してダイナミックダンパを構成するようにしているので、以下で詳細に説明する。
【００３１】
まず、前記補機としてのウォータポンプ８とＡ／Ｃコンプレッサ９とを、トランスアクスル３とエアコンプレッサ４とを結合したユニットの外周に直接的に取り付けずに、適宜の筒状支持部材としてのエクステンションハウジング１０を介して取り付けるようにしている。
【００３２】
このエクステンションハウジング１０は、ほぼ円筒形とされていて、トランスアクスル３の軸方向一側でエアコンプレッサ４を囲むようにトランスアクスル３のケース３１の軸方向一側に連なるように取り付けられる。
【００３３】
このエクステンションハウジング１０の外周の所定位置に、ウォータポンプ８とＡ／Ｃコンプレッサ９とをボルト（図示省略）などで取り付ける。なお、前記ボルトによる結合部分には、図２において符号１２，１３，１４，１５を付している。
【００３４】
詳しくは、ウォータポンプ８とＡ／Ｃコンプレッサ９とは、図１に示すようにエクステンションハウジング１０の軸方向所定位置（この実施形態では軸方向中央位置）から径方向に沿う平面１００上、他の言い方をすればエクステンションハウジング１０の中心軸線１１０に対して直交する方向に沿う平面１００上で、かつ、図２に示すように前記平面１００上において中心軸線１１０を挟んで対向する位置に、振り分けて取り付けられる。
【００３５】
なお、ウォータポンプ８とＡ／Ｃコンプレッサ９とにおける円周方向での設置場所は、厳密に１８０度対向する位置とする必要はなく、例えば右半分領域と左半分領域とに振り分けて設けられている。但し、ウォータポンプ８とＡ／Ｃコンプレッサ９とは、それらの回転中心軸線がほぼ平行となるような姿勢で設置されている。
【００３６】
そして、ウォータポンプ８およびＡ／Ｃコンプレッサ９を作動させたときに、それらのいずれか一方例えばウォータポンプ８（またはＡ／Ｃコンプレッサ９）に対して、残り他方つまりＡ／Ｃコンプレッサ９（またはウォータポンプ８）が質量体、エクステンションハウジング１０が弾性体となるダイナミックダンパを構成するようにする。
【００３７】
具体的に、ウォータポンプ８またはＡ／Ｃコンプレッサ９とエクステンションハウジング１０とによって構成されるダイナミックダンパにおいて、ウォータポンプ８およびＡ／Ｃコンプレッサ９の質量をＭ１，Ｍ２とし、エクステンションハウジング１０に対するウォータポンプ８およびＡ／Ｃコンプレッサ９の結合部分の剛性に基づくばね定数をそれぞれＫ１，Ｋ２とし、エクステンションハウジング１０の断面潰れ剛性に基づくばね定数をＫ３とすると、図３の左側に示す振動系モデルとして表すことができる。
【００３８】
そして、Ｍ１≒Ｍ２、Ｋ１≒Ｋ２＋Ｋ３、Ｋ１≒Ｋ２、Ｋ２≫Ｋ３という関係に設定すると、図３の右側に示す振動系モデルとして表すことができる。
【００３９】
これにより、質量Ｍ１に対して質量Ｍ２およびばね定数Ｋ２がダイナミックダンパとして機能するようになる。このようなダイナミックダンパの共振周波数（ｆｎ）を決定する要素は、ｆｎ＝（１／２π）√（Ｋ２／Ｍ２）となる。
【００４０】
したがって、この関係式を用いて、ダイナミックダンパの共振周波数をチューニングすることにより、ウォータポンプ８およびＡ／Ｃコンプレッサ９を作動させることに伴いウォータポンプ８およびＡ／Ｃコンプレッサ９とエクステンションハウジング１０とが剛体的に振れ回る振動（剛体共振）を抑制することが可能になる。
【００４１】
具体的に、この実施形態の効果について、図５から図７に示す比較例を参照して説明する。
【００４２】
この比較例の場合、図５に示すように、ウォータポンプ８とＡ／Ｃコンプレッサ９とを、本実施形態のようにエクステンションハウジング１０の軸方向所定位置（この実施形態では軸方向中央位置）から径方向に沿う平面１００上、他の言い方をすればエクステンションハウジング１０の中心軸線１１０に対して直交する方向に沿う平面１００上に配置せずに、筒状支持部材であるエクステンションハウジング１０を軸方向一方つまりエアコンプレッサ４の端縁寄りに向けて延長し、この延長部分にＡ／Ｃコンプレッサ９を取り付けるようにしている。
【００４３】
これにより、Ａ／Ｃコンプレッサ９がエクステンションハウジング１０の軸方向中央位置から軸方向一側つまりエアコンプレッサ４の端縁寄りにずらされた状態で配置されている。このようにして、ウォータポンプ８とＡ／Ｃコンプレッサ９とが軸方向にオフセット配置されている。
【００４４】
なお、図６に示すように、ウォータポンプ８とＡ／Ｃコンプレッサ９とは、エクステンションハウジング１０の円周上において中心軸線１１０を挟んで対向する場所に、振り分けて取り付けられる。
【００４５】
そして、ウォータポンプ８またはＡ／Ｃコンプレッサ９の作動に伴いエクステンションハウジング１０に加わる加振力をＦ、Ａ／Ｃコンプレッサ９またはウォータポンプ８で生じる加速度をＡとすると、ウォータポンプ８およびＡ／Ｃコンプレッサ９とエクステンションハウジング１０とによる剛体共振の振動レベル（イナータンスＡ／Ｆ：振動のしやすさの指標）は、図４に示すようになる。
【００４６】
つまり、比較例の場合に例えば図４の二点鎖線で示すような振動レベルになるとすると、本実施形態の場合には例えば図４の実線で示すような振動レベルに低減するようになる。図４のハッチングで示す領域が、ダイナミックダンパ効果による振動減衰領域である。
【００４７】
つまり、本実施形態の場合には、ダイナミックダンパ効果によりウォータポンプ８およびＡ／Ｃコンプレッサ９とエクステンションハウジング１０とによる剛体共振の振動レベルを抑制することができる。
【００４８】
以上説明したように、本発明を適用した実施形態では、車両駆動装置としてのトランスアクスル３に補機（ウォータポンプ８，Ａ／Ｃコンプレッサ９）を付設するにあたって、当該補機（８，９）の作動に伴い発生する振動を抑制するために、当該補機（８，９）そのものを利用してダイナミックダンパを構成するようにしている。
【００４９】
これにより、各補機（８，９）の作動に伴い各補機（８，９）および筒状支持部材（エクステンションハウジング１０）が剛体的に振れ回る振動（剛体共振）を前記ダイナミックダンパでもって抑制することが可能になる。
【００５０】
なお、トランスアクスル３の作動に伴い補機（８，９）および筒状支持部材（エクステンションハウジング１０）が共振するような場合には、前記複数の補機（８，９）が質量体となり、前記筒状支持部材（１０）が弾性体となるダイナミックダンパとして機能するようになるので、前記共振を低減することが可能になる。
【００５１】
このようなことから、本発明に係る車両駆動装置としてのトランスアクスル３の振動を低減することが可能になり、ひいては本発明に係る車両駆動装置としてトランスアクスル３を搭載する車両の静粛性を向上することが可能になる。
【００５２】
なお、本発明は、上記実施形態のみに限定されるものではなく、特許請求の範囲内および当該範囲と均等の範囲内で適宜に変更することが可能である。
【００５３】
（１）上記実施形態では、車両駆動装置としてのトランスアクスル３に２つの補機（ウォータポンプ８，Ａ／Ｃコンプレッサ９）を取り付ける場合を例に挙げているが、本発明はこれに限定されるものではなく、２つ以上の補機を取り付ける場合にも本発明を適用することが可能である。
【００５４】
（２）上記実施形態では、燃料電池車両に用いる車両駆動装置を例に挙げているが、本発明はこれに限定されるものではなく、例えばモータのみを駆動源とする電動車両にも本発明を適用することが可能である。
【産業上の利用可能性】
【００５５】
本発明は、複数の補機が付設される車両駆動装置に好適に利用することが可能である。
【符号の説明】
【００５６】
１      車両
２      エンジンコンパートメント
３      トランスアクスル（車両駆動装置）
４      エアコンプレッサ
５      走行用モータ
６      変速機
８      ウォータポンプ（補機）
９      Ａ／Ｃコンプレッサ（補機）
１０      エクステンションハウジング（筒状支持部材）
１００      平面
１１０      エクステンションハウジングの中心軸線
【図１】
2013166456.tif 000003
【図２】
2013166456.tif 000004
【図３】
2013166456.tif 000005
【図４】
2013166456.tif 000006
【図５】
2013166456.tif 000007
【図６】
2013166456.tif 000008
【図７】
2013166456.tif 000009